(57)【要約】【課題】  心地よく頭皮や顔などの皮膚面を叩いてマッサージできる、簡単な構造の皮膚叩き用ブラシを提供する。【解決手段】 皮膚叩き用ブラシ１は、ブラシ本体２に複数の線状体４が斜めに植え付けられているとともに、線状体４がそれぞれの先端に球状体４ａを有する。線状体４と球状体４ａとが一体に形成されているとよい。また、線状体４と球状体４ａとが鋼製で、線状体４の傾きθが６０〜８０°であるとさらに好ましい。【選択図】  図１
0003189047.tif 000002
【実用新案登録請求の範囲】
【請求項１】
複数の線状体を有するブラシであって、ブラシ本体に上記の各線状体が斜めに植え付けられているとともに、各線状体が先端に球状体を有することを特徴とする皮膚叩き用ブラシ。
【請求項２】
上記線状体と上記球状体とが、同一の材質で、不連続部分のないよう一体に形成されていることを特徴とする請求項１に記載した皮膚叩き用ブラシ。
【請求項３】
上記線状体と上記球状体とが鋼製であることを特徴とする請求項１または２に記載した皮膚叩き用ブラシ。
【請求項４】
上記線状体が０．５〜３ｍｍの太さを有し、上記球状体が２〜５ｍｍの直径を有することを特徴とする請求項１〜３のいずれかに記載した皮膚叩き用ブラシ。
【請求項５】
上記線状体とブラシ本体とのなす角度が、６０〜８０°の範囲であることを特徴とする請求項１〜４のいずれかに記載した皮膚叩き用ブラシ。
【考案の詳細な説明】
【技術分野】
【０００１】
本考案は、健康や美容のために使用する皮膚叩き用ブラシに関するものである。
【背景技術】
【０００２】
ブラシの中には、頭皮などのマッサージに利用できるものがある。その例として、たとえば下記特許文献１に記載のものがある。特許文献１のブラシは、木製の基体に、弾性を有するゴム材等からなるブリッスル植設用台を装着し、そのブリッスル植設用台の上に、先端に丸み部を形成した木製のブリッスルを複数本植設している。
【先行技術文献】
【特許文献】
【０００３】
【特許文献１】特開平７−１４４０１２号公報
【考案の概要】
【考案が解決しようとする課題】
【０００４】
特許文献１のブラシは、ブリッスル植設用台自体が一定のクッション作用を発揮するよう構成されている。しかし、ブリッスルがブリッスル植設用台に対して垂直に植設されているため、頭皮などをパッティングしたとき多くのブリッスルが頭皮にほぼ垂直に当たり、頭皮に過剰な刺激が及ぼされかねない。また、ブリッスル植設用台を基体に装着したものであるため、構造が複雑でコストがかさみがちである。
【０００５】
上記課題を解決するため、本考案は、心地よく頭皮や顔などの皮膚面を叩いてマッサージできる、より簡単な構造の皮膚叩き用ブラシを提供することを目的とする。
【課題を解決するための手段】
【０００６】
請求項に係る皮膚叩き用ブラシは、複数の線状体を有するブラシであって、ブラシ本体に上記の各線状体が斜めに植え付けられているとともに、当該線状体のそれぞれが先端に球状体（たとえば楕円球状のものや半球状のものであってもよい）を有することを特徴とする。
【０００７】
このようなブラシであれば、頭皮や顔などの皮膚面を叩いたときに、線状体が斜めになった状態で球状体が皮膚面に当たるので、線状体がたわみやすい。線状体がたわむことにより、皮膚面への衝撃がやわらげられる。また、線状体の先端に球状体があるので、皮膚面を傷つける恐れがない。線状体はたわむことによって皮膚面との角度が多少変化するが、先端の球状体は線状体の角度にかかわらず、皮膚面との接触部分の曲率半径が変わらない。したがって、皮膚面に過剰な刺激を及ぼすことがなく、心地よいマッサージ効果をもたらす。このようなブラシで、顔など、皺が気になる皮膚面を叩くことにより、皮膚面に適度な刺激を与え、皺の発生を抑えたり、または既に発生している皺を薄くして目立たなくしたりすることができる。頭皮を叩くことにより、頭皮に刺激を与えて血行を改善できるので、髪の毛の抜けるのを予防する効果も期待できる。叩く時間は顔、頭皮などの場合、たとえば２〜３分でよい。
また、線状体がたわむことにより、弾むように皮膚面を叩くことができるので、操作性の点でも好ましい。
さらに、ブリッスル植設台などを介さずに、ブラシ本体に直接線状体を植え付けるという簡単な構造なので、低コストで製造できる。
なお、線状体や球状体の材質はとくに問わないが、プラスチック、金属、ゴム（硬めのもの）、木材などが適している。ブラシ本体（および柄）の材質も問わないが、木材が好ましい。
【０００８】
本発明の皮膚叩き用ブラシは、とくに、上記線状体と上記球状体とが、同一の材質で、不連続部分のないよう一体に形成されているのが好ましい。線状体と球状体とが、たとえばプラスチックの場合には一体成型されており、金属の場合には、溶接されたり一体に鋳造されたりしているのが良いわけである。
線状体と球状体とが、連結されたり接着されたりすることによらず、このように一体に形成されていると、使用中などに球状体が線状体から外れるようなことがない。したがって、細い線状体の先端が皮膚に刺さるようなことがなく、安全であり、耐久性にも優れているといえる。
【０００９】
上記線状体と上記球状体とが、鋼製であるとさらによい。
鋼製の線状体は、プラスチック製のものと比べてたわんだときの弾力が強いので、皮膚面に十分な刺激を与えることができる。また、鋼製の球状体は、重みと硬さを備えているので、皮膚面への刺激を十分にもたらすことができる。さらに、鋼製であれば耐久性の点でも優れている。
【００１０】
上記線状体が０．５〜３ｍｍの太さを有し、上記球状体が２〜５ｍｍの直径を有するとさらに好ましい。線状体と球状体とが鋼製であれば、とくに有利である。
線状体がこの範囲の太さであれば、十分な強度と適度な弾力とを有している。また、球状体が上記範囲の大きさであれば、皮膚面を傷つけることなく、しかも皮膚面だけでなくツボにも心地よい刺激を与えることができる。ツボを刺激すれば、叩いた部分だけでなく体全体の健康状態にも好影響を及ぼすことが期待できる。線状体が太めのものを男性用とし、細めのものを女性用としてもよい。
【００１１】
上記線状体とブラシ本体とのなす角度が６０〜８０°の範囲であるのが、とくに好ましい。
線状体とブラシ本体との角度がこの範囲であれば、皮膚面への刺激が弱すぎることも強すぎることもない。線状体がたわんだときの弾力により、皮膚面を叩いたときにしっくり感と心地よさとを得ることができる。
【考案の効果】
【００１２】
考案に係る皮膚叩き用ブラシは、頭皮や顔などの皮膚面を叩いたときに、線状体のたわみによる弾力により球状体が皮膚面にやわらかく当たるので、適度な刺激を皮膚に与えることができる。そのため、叩いた皮膚面の血行促進やツボの刺激などによって、皺の発生を抑えたり、または既に発生している皺を薄くして目立たなくしたり、髪の毛の抜けるのを予防したりするといった効果を発揮する。また、構造が簡単で、製造コストの面でも有利である。
【図面の簡単な説明】
【００１３】
【図１】図１（ａ）は、考案の実施形態である皮膚叩き用ブラシ１の平面図で、図１（ｂ）はその側面図である。
【考案を実施するための形態】
【００１４】
考案の一実施例を図１に基づいて説明する。皮膚叩き用ブラシ１は、ブラシ本体２とブラシ本体２に延長して設けられた柄３とを有するヘアブラシ状のもので、ブラシ本体２の一方の面に複数の線状体４が斜めに植え付けられている。ブラシ本体２と柄３とは木製である。
【００１５】
線状体４は、太さ１．５ｍｍの鋼線であり、それぞれの先端に、直径３ｍｍの鋼製の球状体４ａが設けられている。線状体４と球状体４ａとは、別体のものを接着などにより一体に結合させたのではなく、不連続部分のないように一体に、たとえば溶接や鋳造、鍛造等によって形成している。したがって、使用中などに球状体４ａが線状体４から外れるということはなく、線状体４の先端に常に球状体４ａがあるので、皮膚を傷付けないという安全が確保される。なお、線状体４の太さは０．５〜３ｍｍの範囲であればよく、球状体４ａの直径は２〜５ｍｍの範囲であればよい。
【００１６】
線状体４は、ブラシ本体２の表面に対し６０°の角度θで植え付けられている。この角度θを付けることにより、球状体４ａを皮膚に当てたとき線状体４がたわみやすく、また、線状体４がたわんだとき適度な弾力が生じる。そのため、皮膚面を叩いたとき、衝撃が強すぎず、使用者はしっくり感と心地よさを得ることができる。なお、角度θは６０〜８０°の範囲であるとよい。
【００１７】
このような皮膚叩き用ブラシ１で、顔、その他皺が気になる皮膚面を叩くことにより、皮膚面に適度な刺激を与え、皺の発生を抑えたり、または既に発生している皺を薄くして目立たなくしたりすることができる。また、頭皮を叩くことにより、髪の毛の抜けるのを予防する効果も期待できる。さらに、頭皮や顔などの皮膚面を叩くときに、球状体４ａがツボを刺激して、叩いた皮膚面だけでなく体全体の健康にも好影響を与えることができる。
【符号の説明】
【００１８】
１  皮膚叩き用ブラシ
２  ブラシ本体
３  柄
４  線状体
４ａ  球状体
【図１】
0003189047.tif 000003